(57)【要約】【課題】  簡単な工夫によって消費電力が少なくて済む冷蔵庫を提供する。【解決手段】  冷蔵庫本体１ａの庫内容積が４００Ｌ（リットル）以下の時で、各庫内容積の大きさに対応して使用される仕様態様の最大圧縮能力が実用範囲を越えて最大範囲まで冷凍サイクルを構成する圧縮機に対して、最大能力が前記実用範囲の冷凍サイクル内に収まる圧縮能力の仕様態様の圧縮機３を使用し、冷却運転に支障のない消費電力の小さい仕様態様のものを採用する。【選択図】図１
2009204186.tif 000002
【特許請求の範囲】
【請求項１】
冷蔵庫本体内に配置され圧縮機から吐出された冷媒が凝縮器、絞り装置、蒸発器を通り再び圧縮機に戻る冷凍サイクルを備える一方、前記冷蔵庫本体の庫内容積が４００Ｌ以下の時で、各庫内容積の大きさに対応して使用される仕様態様の圧縮機の最大圧縮能力が実用範囲を越えて最大範囲まで冷凍サイクルを構成するのに対して、最大圧縮能力が前記実用範囲の冷凍サイクル内に収まる仕様態様の圧縮機を使用することを特徴とする冷蔵庫。
【請求項２】
商用電源の周波数が５０Ｈｚ、庫内容積Ｌが４００Ｌ以下で直接冷却の時、アシュレイ条件での前記圧縮機の圧縮能力Ｗは、
Ｗ＝−０．００１５×Ｌ2＋０．９９５３×Ｌの式からもとまる値以下であることを特徴とする請求項１記載の冷蔵庫。
【請求項３】
商用電源の周波数が５０Ｈｚ、庫内容積Ｌが４００Ｌ以下で間接冷却の時、アシュレイ条件での前記圧縮機の圧縮能力Ｗは、
Ｗ＝−０．０００９×Ｌ2＋０．７３３７×Ｌの式からもとまる値以下であることを特徴とする請求項１記載の冷蔵庫。
【請求項４】
前記圧縮機は、室温が設定温度以上に達した時にのみ、高い回転数を維持し続けるインバータ回路を備えていることを特徴とする請求項１，２，３のいずれかに記載の冷蔵庫。
【発明の詳細な説明】
【技術分野】
【０００１】
本発明は消費電力の低減が図れるようにした冷蔵庫に関する。
【背景技術】
【０００２】
一般に冷蔵庫は、圧縮機から吐出された冷媒が凝縮器、絞り装置、蒸発器を通り、再び圧縮機に戻る冷凍サイクルを備え、前記蒸発器において熱交換された冷気が庫内を循環することで庫内冷却が行なわれる。
【０００３】
冷凍サイクルを構成する圧縮機は、庫内容積の大きさに比例して圧縮能力も比例し、庫内容積の大きさに対応した仕様態様のものが使用される。
【発明の開示】
【発明が解決しようとする課題】
【０００４】
庫内冷却が行なわれる冷凍サイクル時の消費電力は、おもに圧縮機の圧縮能力によって決定される。
【０００５】
圧縮機の圧縮能力が高くなればそれに比例して消費電力も多くなり、圧縮能力が低くなればそれに比例して消費電力も少なくなる。
【０００６】
ところで、現在使用されている圧縮機は、図４に示す如く縦軸に圧力、横軸にエンタルピをとったモリエル線図で示す如く庫内冷却に支障の起きない実用範囲の冷凍サイクル（二点鎖線で示したａ−ｂ，ｂ−ｃ，ｃ−ｄ，ｄ−ａ）を越えて最大範囲まで到達する冷凍サイクル（実線で示す）を備えた仕様態様の大きい圧縮能力のものを使用しているのが現状となっている。
【０００７】
大きい圧縮能力を備えた仕様態様の圧縮機を用いることは、ゆとり運転の面では好ましいが、同じ仕事をするにしても余分にエネルギーを消費することにつながり、環境問題、省エネ等を考えると望ましくない。
【０００８】
そこで、本発明にあっては簡単な工夫によって消費電力が少なくて済む冷蔵庫を提供することを目的としている。
【課題を解決するための手段】
【０００９】
前記目的を達成するために、本発明にあっては、冷蔵庫本体内に配置され圧縮機から吐出された冷媒が凝縮器、絞り装置、蒸発器を通り再び圧縮機に戻る冷凍サイクルを備える一方、前記冷蔵庫本体の庫内容積が４００Ｌ以下の時で、各庫内容積の大きさに対応して使用される仕様態様の圧縮機の最大圧縮能力が実用範囲を越えて最大範囲まで冷凍サイクルを構成するのに対して、最大圧縮能力が前記実用範囲の冷凍サイクル内に収まる仕様態様の圧縮機を使用することを特徴とする。
【００１０】
具体的な対応の仕方としては、第１に、商用電源の周波数が５０Ｈｚ、庫内容積Ｌが４００Ｌ（リットル）以下で直接冷却の時、アシュレイ条件での前記圧縮機の圧縮能力Ｗが、
Ｗ＝−０．００１５×Ｌ2＋０．９９５３×Ｌの式からもとまる値以下であるようにする。
【００１１】
第２に、商用電源の周波数が５０Ｈｚ、庫内容積Ｌが４００Ｌ（リットル）以下で間接冷却の時、アシュレイ条件での前記圧縮機の圧縮能力Ｗが、
Ｗ＝−０．０００９×Ｌ2＋０．７３３７×Ｌの式からもとまる値以下であるようにする。
【００１２】
そして、好ましい実施形態として前記圧縮機に、室温が設定温度以上に達した時にのみ、高い回転数を維持し続けるインバータ回路を備えるようにすることが望ましい。
【発明の効果】
【００１３】
本発明によれば、庫内冷却に支障の起きない実用範囲の圧縮能力を備えた仕様態様の圧縮機を使用するという簡単な工夫によって庫内冷却を確実に行なうことができる。しかも、仕事をする単位あたりの消費エネルギーも小さくて済むため消費電力の低下につなげることができる。特に、冷蔵庫の場合、台数が多いため全世帯に実施されるようになれば、省エネ効果の面で大変優れるようになる。
【発明を実施するための最良の形態】
【００１４】
以下、図１乃至図３の図面を参照しながら本発明の実施形態について具体的に説明する。
【００１５】
図１は本発明にかかるモリエル線図、図２は冷凍サイクルを構成するブロック回路図、図３は冷凍サイクルを構成する圧縮機のみを破線で示した冷蔵庫全体の概要説明図をそれぞれ示している。
【００１６】
冷蔵庫１は図２に示す如く圧縮機３を始めとして凝縮器５、絞り装置７、蒸発器９が設けられ、圧縮機３から吐出された冷媒は凝縮器５、絞り装置７、蒸発器９を通り、再び圧縮機３に戻る冷凍サイクルを構成する。
【００１７】
冷蔵庫１の冷蔵庫本体１ａは冷蔵室、野菜室、冷凍室の各開閉扉１１，１２，１３を備え、各庫内は前記蒸発器９において熱交換された冷気が庫内を循環することで庫内冷却が行なわれる。
【００１８】
圧縮機３は、庫内容積が４００Ｌ（リットル）以下の時で、各庫内容積の大きさに対応して使用される仕様態様の圧縮機の最大圧縮能力が実用範囲を越えて最大範囲まで冷凍サイクルを構成するのに対して、最大圧縮能力が前記実用範囲の冷凍サイクル内に収まる仕様態様のものを使用している。それを図で示したものが図１となっている。
【００１９】
図１は縦軸に圧力、横軸にエンタルピをとった図４と同じモリエル線図を示している。二点鎖線で示した今迄の最大圧縮能力（図４の実線と同じ）を備えた冷凍サイクルに対して、本発明の圧縮機３は圧縮領域１−ｂ，凝縮領域ｂ−ｃ，絞り領域ｃ−ｄ，蒸発領域ｄ−ａの冷凍サイクルが図４の二点鎖線で示した実用範囲内に収まるように設定されているものである。
【００２０】
具体的には、庫内容積が４００Ｌ（リットル）以下で直接冷却、即ち、庫内壁面を冷却面としてその冷却壁面によって庫内冷却を図る手段で、商用電源の周波数が５０Ｈｚの時、アシュレイ条件での前記圧縮機の圧縮能力Ｗを、
Ｗ＝−０．００１５×Ｌ2＋０．９９５３×Ｌの式からもとまる値以下のものであって、今迄の圧縮能力の約９０％台の仕様態様の圧縮機を使用する。
【００２１】
あるいは、商用電源の周波数が５０Ｈｚ、庫内容積Ｌが４００Ｌ以下で間接冷却、即ち吹き出し口から庫内へ向けて吹き出される冷気によって庫内冷却が行なわれる時、アシュレイ条件での前記圧縮機の圧縮能力Ｗを、
Ｗ＝−０．０００９×Ｌ2＋０．７３３７×Ｌの式からもとまる値以下のものであって、今迄の圧縮能力の約９０％台の仕様態様の圧縮機を使用するものである。
【００２２】
一方、前記圧縮機３にあっては、図３に示すように室温センサ１５によって室温が設定温度以上に達した時に、その温度を検知し、その検知情報に基づき高い回転数を維持し続けるインバータ回路１７を備えている。
【００２３】
以上説明したように本発明によれば、庫内冷却に支障の起きない実用範囲の圧縮能力を備えた仕様態様の圧縮機３を使用するため、庫内冷却を問題なく確実に行なうことができる。しかも、簡単な工夫によって仕事をする単位あたりの消費エネルギーも小さくて済むようになり、消費電力の低下につなげることができる。また、室温が設定温度以上に高くなった際にはインバータ回路１７が働き実用範囲内において高い回転数を維持し庫内冷却を図るようになる。
【図面の簡単な説明】
【００２４】
【図１】本発明にかかる圧縮機の冷凍サイクルを示したモリエル線図。
【図２】冷凍サイクルを示したブロック回路図。
【図３】冷凍サイクルを構成する圧縮機を示した冷蔵庫の概要説明図。
【図４】今迄の圧縮機の冷凍サイクルを示したモリエル線図。
【符号の説明】
【００２５】
１ａ…冷蔵庫本体
３…圧縮機
５…凝縮器
７…絞り装置
９…蒸発器
１５…室温センサ
１７…インバータ回路
【図１】
2009204186.tif 000003
【図２】
2009204186.tif 000004
【図３】
2009204186.tif 000005
【図４】
2009204186.tif 000006